(57)【要約】【課題】レイアウト変更や配置替えを簡単に実行できるような屋上緑化システムの提供。【解決手段】建物の屋上部１の屋上スラブ２上に配設された防水層４上には、緑化基盤１０と鉢植え４０とが設置されている。これら緑化基盤１０や鉢植え４０は、防水層４上に設置されたブロック３０を介して固定されている。各ブロック３０は、防水シート５上に融着されたシート状部材３２により固定されている。レイアウト変更や配置替えを行う場合には、緑化基盤１０や鉢植え４０を防水シート５上から撤去するとともに、シート状部材３２を切断してブロック３０を防水シート５から分離する。これにより防水シート５を傷つけずに工事を実施することができる。【選択図】　　　図１
2004089005.tif 000002
【特許請求の範囲】
【請求項１】
屋上部に敷設された防水シート上に緑化部を設置してなる屋上緑化システムであって、
前記防水シートに接合したシート状部材を介して前記緑化部を前記屋上部に固定したことを特徴とする屋上緑化システム。
【請求項２】
前記防水シートおよび前記シート状部材は、熱可塑性樹脂材により形成され、相互に融着されて接合されていることを特徴とする請求項１に記載の屋上緑化システム。
【請求項３】
前記熱可塑性樹脂材は、軟質オレフィンをベースにした材料であることを特徴とする請求項２に記載の屋上緑化システム。
【請求項４】
前記防水シート上に、前記シート状部材によって固定用部材を固定して、この固定用部材を介して前記緑化部を固定したことを特徴とする請求項１〜３のいずれか１項に記載の屋上緑化システム。
【請求項５】
前記固定用部材が縁石として用いられていることを特徴とする請求項４に記載の屋上緑化システム。
【請求項６】
前記固定用部材は、直方体状をなすブロックであることを特徴とする請求項４または５に記載の屋上緑化システム。
【請求項７】
前記固定用部材は、チューブ状部材により形成されていることを特徴とする請求項４または５に記載の屋上緑化システム。
【請求項８】
前記緑化部は、土壌と、この土壌の下側に配設されて当該土壌内に水分供給を行う導水シートとを有する緑化基盤を備えていることを特徴とする請求項１〜７のいずれか１項に記載の屋上緑化システム。
【請求項９】
前記緑化基盤は、前記導水シートの下側に排水層を備えていることを特徴とする請求項８に記載の屋上緑化システム。
【請求項１０】
前記土壌には、立体構造ネットが埋設され、この立体構造ネットが前記シート状部材を介して前記防水シートに固定されていることを特徴とする請求項８または９に記載の屋上緑化システム。
【請求項１１】
前記緑化部が、植物が植設されたポットであることを特徴とする請求項１〜１０のいずれか１項に記載の屋上緑化システム。
【請求項１２】
前記緑化部は、植物が植設されたポットを備え、このポットが、前記固定用部材の夫々に対して個別に着脱可能に連結されていることを特徴とする請求項４〜７のいずれか１項に記載の屋上緑化システム。
【請求項１３】
請求項１〜１１のいずれか１項に記載の屋上緑化システムを撤去する方法であって、前記シート状部材を切断して前記緑化部を前記防水シート上から撤去することを特徴とする方法。
【請求項１４】
請求項４〜７のいずれか１項に記載の屋上緑化システムを撤去する方法であって、前記シート状部材を切断して前記緑化部および前記固定用部材を前記防水シート上から撤去することを特徴とする方法。
【発明の詳細な説明】
【０００１】
【発明の属する技術分野】
本発明は、都市部等におけるヒートアイランド現象の抑制などのために、ビル等の屋上部に設けられる屋上緑化システムおよびその撤去方法に関し、特にリニューアル工事などを容易に実施することができるシステムおよびその撤去方法に関する。
【０００２】
【従来の技術】
都市部におけるヒートアイランド現象を抑制するために、建物の屋上部に人工の庭園等の緑化部を設置することが行われている。この緑化部の設置に際しては、一般に、建物の屋上部に防水シートなどにより防水層を設けて十分な防水対策を施した上で、その防水層の上に土壌を盛土してその土壌に植生を施すことが行われている。ここで、土壌については、建物の屋上部に多大な重量負荷を与えないようにするために、また屋上部の重量制限をクリアするために、特殊な軽量土壌を用いたり、またその厚さを例えば１０ｃｍ以下等の薄層にしたりして、軽量化が図られている。
【０００３】
【発明が解決しようとする課題】
しかし、土壌の軽量化を図った場合、次のような問題が生じた。すなわち、土壌の荷重が非常に軽量であるため、強風を受けると土壌が浮き上がる虞があった。特に建物の屋上部は、地上に比べて風が強く、浮き上がりが発生し易い環境にあった。
【０００４】
そこで、適当な固定器具を使って土壌全体を屋上部に固定することが提案されている。固定器具は、屋上スラブ面やパラペットなどに固定され、これにより、高さ数十ｍ〜数百ｍの建物にまで屋上緑化を施すことが可能となる。
【０００５】
しかしながら、この場合、防水層に固定用の穴部を設けなければならなず、緑化部の配置替えやリニューアル工事をする際に、固定用の穴部が多数残存するという問題が生ずる。このまま穴部を放置した状態で、緑化部を再設置すると、穴部から建物内部に雨水等が侵入する虞があるなどの不具合が発生する。このため、補修を施して穴部を塞ぐか、あるいは防水層を施し直すなどの処理が必要である。
【０００６】
一方、固定器具をパラペットに固定する場合には、防水層に穴部を設けずに済むものの、パラペットまでワイヤーなどを張らなければならなず、屋上のメンテナンス作業の邪魔になったり、緊急時の消火活動に悪影響を及ぼす虞があった。このため、固定器具をパラペットに固定する構成を採用することはきわめて難しかった。
【０００７】
このように、従来の屋上緑化システムにおいては、緑化部を屋上部にいかに固定するかが大きな問題となっていた。
【０００８】
本発明は、このような事情に鑑みてなされたものであって、その目的は、防水層に穴部を空けずに緑化部を固定できるとともに、リニューアル工事を容易に実施可能な屋上緑化システムおよびその撤去方法を提供することにある。
【０００９】
【課題を解決するための手段】
このような目的を達成するために本発明に係る屋上緑化システムによれば、屋上部に敷設された防水シート上に緑化部を設置してなる屋上緑化システムであって、前記防水シートに接合したシート状部材を介して前記緑化部を前記屋上部に固定したことを特徴とする（請求項１）。
【００１０】
このようなシステムにあっては、防水シートに接合したシート状部材を介して緑化部を屋上部に固定するから、当該システムのリニューアル工事等において緑化部を撤去する際に、シート状部材を切断するだけで、簡単に撤去することができる。しかも、シート状部材は、防水シートに接合されるから、従来のように固定用の穴部を残さずに済み、穴部の補修等といった処理を省略することができる。
【００１１】
このシステムにおいては、前記防水シートおよび前記シート状部材は、熱可塑性樹脂材により形成され、相互に融着されて接合されることとしても良い（請求項２）。このように防水シートとシート状部材とが融着されれば、両者を良好に接合することができるとともに、その融着状態を長期間にわたって保持することができる。
【００１２】
また、このシステムにおいては、熱可塑性樹脂材が軟質オレフィンをベースにした材料であるのが好ましい（請求項３）。
【００１３】
さらに、前記防水シート上に、前記シート状部材によって固定用部材を固定して、この固定用部材を介して前記緑化部を固定していても良い（請求項４）。
また、前記固定用部材は、縁石として用いられていても良い（請求項５）。
また、前記固定用部材は、直方体状をなすブロックであっても良い（請求項６）。
また、前記固定用部材は、チューブ状部材により形成されていても良い（請求項７）。
【００１４】
また、前記緑化部は、土壌と、この土壌の下側に配設されて当該土壌内に水分供給を行う導水シートとを有する緑化基盤を備えていることとしても良い（請求項８）。くる
また、前記緑化基盤は、導水シートの下側に排水層を備えていることとしても良い（請求項９）。
また、前記土壌には、立体構造ネットが埋設され、この立体構造ネットが前記シート状部材を介して前記防水シートに固定されることとしても良い（請求項１０）。
また、前記緑化部が、植物が植設されたポットである（請求項１１）。
また、前記緑化部は、植物が植設されたポットを備え、このポットが、前記固定用部材に対して個別に着脱可能に連結されることとしてもよい（請求項１２）。
【００１５】
また、本発明に係る第１の屋上緑化システムの撤去方法にあっては、シート状部材を切断して緑化部を防水シート上から撤去することを特徴とする（請求項１３）。
また、本発明に係る第２の屋上緑化システムの撤去方法にあっては、シート状部材を切断して緑化部および固定用部材を防水シート上から撤去することを特徴とする（請求項１４）。
【００１６】
【発明の実施の形態】
以下に本発明に係る屋上緑化システムおよびその撤去方法の実施の形態について、添付図面を用いて詳細に説明する。図１〜図１１は、本発明に係る屋上緑化システムの一実施形態を示したものである。
【００１７】
図１は、本実施形態に係る屋上緑化システムの構成を示したものである。この屋上緑化システムは、建物の屋上部１の屋上スラブ２上に配設された防水層４上に、緑化基盤１０と鉢植え４０とを備えている。これら緑化基盤１０や鉢植え４０は、防水層４上に設置されたブロック３０を介して固定されている。なお、緑化基盤１０および鉢植え４０は、本発明における緑化部に相当し、またブロック３０は、本発明における固定用部材に相当する。
【００１８】
防水層４は、屋上スラブ２上に防水シート５を敷設することにより設けたものである。防水シート５は、例えば、厚さ１．２ｍｍ〜２．５ｍｍ程度のシート状部材である。この防水シート５は、他の部材と融着し得る材料、例えば熱可塑性樹脂材などにより形成されており、熱により溶融して他の部材と接着が可能である。本実施形態では、防水シート５が、軟質オレフィンをベースにした熱可塑性樹脂材により形成されている。この軟質オレフィンをベースにした熱可塑性樹脂材は、耐久性や防水性が非常に良好であるとともに、耐根性や難燃性にも優れ、長期にわたって防水性能を発揮し得る材料である。さらにこの材料には、塩素、重金属、ハロゲンなどを含まないので、焼却してもダイオキシンが発生せず、重金属汚染がないなど、環境面にも優れている。防水シート５としては、例えば、日立電線株式会社製（パワーアンドコムテック社販売）の商品名「サーナルーフＴＳ」または「サーナルーフＴＧ」を用いることができる。この他に、本発明における防水シートとしては、アクリル樹脂を主成分とした防水シート（例えばアーキヤマデ株式会社製の商品名「リベットルーフＥＸ」など）や、塩化ビニル樹脂製の防水シートを用いることができる。
【００１９】
緑化基盤１０は、例えば１５ｃｍ以下の厚みに形成されるもので、図２に示すように、防水層４側（下側）から順に、保水性シート１２、排水層１４、導水シート１６が積層されて構成されている。さらに、導水シート１６上には、土壌１８が所定の厚みで造成され、そして土壌１８の上には、植裁２０が施されている。また、土壌１８の内部には、給水パイプ２２が埋設されており、この給水パイプ２２から導水シート１６に対して給水が行われるようになっている。さらに土壌１８には立体構造ネット２４が埋設されている。
【００２０】
保水性シート１２は、高い保水性を有する織編物よりなるシート状部材であり、例えば、ＰＥＴ原糸を製織し、未架橋樹脂を含浸、架橋反応をさせることにより形成される。あるいは、ＰＥＴ原糸に吸水化処理を行ってから製織処理することにより、または、水溶性樹脂をスリットしたものを製織することによっても保水性シート１２を形成することができる。保水性シート１２は、常時水分でぬれているため植裁の根張りをこの位置で防止する防根シートとしての役割を有する。また、保水性シート１２が有する高い保水性により緑化基盤１０の熱的緩衝機能を高めることもできる。このような保水性シート１２は、非含水状態では軽量シートとして取扱うことができ、敷設作業も行いやすい。本実施形態では、保水性シート１２として、例えば、酒精織物（株）製の商品名「ＳＭＡＴ−Ａ，ＳＭＡＴ−Ｂ，ＳＭＡＴ−Ｃ，ＳＭＡＴ−Ｄ，ＳＭＡＴ−Ｅ」などを用いている。
【００２１】
排水層４は、へちま状の立体編目構造となる繊維から構成されて連続空隙を含有する厚さ１ｃｍ程度のマットからなる排水部材で構成されており、本実施形態では、排水部材として、例えば、新光ナイロン（株）製の商品名「ヘチマロン」を用いている。このような排水層４は、水分を浸透させ、導水シート１６中の過剰水分を下方へ排出する機能を有するとともに、植裁の根にからみついて根張りを安定化させ、空気層を形成することで、梅雨時期などの過剰水分などによる根腐れを防止する機能を有している。
【００２２】
導水シート１６は、織布等で構成されたシートであって、給水パイプ２２から供給される潅水を毛管現象によって一面に浸透させ、その面全体から上部の土壌１８中へ滲出させて給水を行うようになっている。これにより、従来のスプリンクラーや手で水撒きする場合に比べて過剰な潅水を行わずに済み、土壌１８の水分を自然に均一化させることができる。
【００２３】
土壌１８は、例えば厚み約５ｃｍの層などとして薄層に造成されている。土壌１８は、例えば火山灰風化の下層土、木炭、ゼオライトを適宜な組成比で混合した混合土などにより構成される。ここで、火山灰風化土は、保水性に優れ、硝酸、硫酸などの陰イオンの吸着性に優れている。また、炭は、その多孔質空隙を利用して微生物の生活相を造ることを目的に混合されており、大気中の窒素を取込み植物に供給するための窒素固定菌を増殖させ、貧栄養状態の土壌でも植物の生育、成長を維持することができる。また、ゼオライトは、微細な多孔質構造により、アンモニアなどの陽イオン、水分、各種ガスに対する強い吸着性能を有しており、また陰荷電を帯びているため、ナトリウム、カリウム、カルシウム、マグネシウムなど各種陽イオンの肥料成分を吸着、保持し、植物の必要に応じてこれら肥料成分を供給する機能を備えている。このゼオライトとして、例えば、奥多摩工業（株）の商品名「タマライト」を用いるのが好ましい。これらの組成比は、好ましくは、土壌１８のｐＨが中性値となるように、例えば、重量比で火山灰風化土８：木炭０．５〜１：ゼオライト１〜１．４などのように設定される。このような組成比によれば、５ｃｍの土層厚、仮比重１とすると重量が５０ｋｇ／ｍ２となり、軽量土壌を実現できる。
【００２４】
なお、土壌１８中には、土壌固定剤が配合されていてもよい。土壌固定剤は、高分子のり、例えばエチレン−酢酸ビニル共重合樹脂からなる乳白色エマルジョンであって、土壌１８の造成後にこの液を表面に均一に散布することによって、土壌１８に含浸させる。土壌１８に含浸した土壌固定剤は、土粒子を固着し、吸水性を確保した状態で土壌流出を防止して、植裁の根張りを確保する。この土壌固定剤としては、例えば、昭和高分子（株）製の商品名「ポリゾールＥＶＡ　Ｐ−７」を用いるのが好ましい。
【００２５】
また、土壌１８中に湿度センサなどを埋設しておき、このセンサが所定の乾燥状態を検出したときに、給水パイプ２２を通じて自動的に一定量の水を供給するための自動給水設備を備えていても良い。
【００２６】
立体構造ネット２４は、網目構造を有する合成樹脂製のネットであり、雨水による表面浸食に伴う土壌流失、防風効果による風食などを防止する部材として知られており、ネット２４に植生が絡みつき、風などの影響による植生の表裏剥離を防止する。また、立体構造ネット２４が土壌１８に埋設されることで、日光の紫外線による立体構造ネット２４の劣化が防止される。この立体構造ネット２４としては、例えば、（株）アサヒテクノスの商品名「３Ｄ−ＴＥＣＨＮＯＮＥＴ」などを用いると良い。
【００２７】
なお、本発明における緑化基盤は前記の構成に限らない。例えば、側溝等を利用して導水シート１６に給水するのであれば、給水パイプ２２を省略してもよく、また、導水シート１６を通じて土壌１８への給水量を十分に調節することができれば、排水層４を省略してもよく、また、特に防根の必要がなかったり、また他の手段により防根が可能であれば、保水性シート１２を省略してもよい。また、土壌１８が土壌固定剤等により十分に一体化されているのであれば、立体構造ネット２４を省略しても構わない。また、導水シート１６上には、土壌１８以外に揚水性ブロックやチップ状レンガ等が配設されていてもよい。
【００２８】
この他に本実施形態では、緑化部として鉢植え４０を備えているが、この鉢植え４０については、図１に示すような形状のものの他に、長方形状をした横長なプランターをはじめ、各種植栽容器を使用したものであっても良い。
【００２９】
一方、これら緑化基盤１０や鉢植え４０を防水シート５上に固定するブロック３０は、直方体状に成形されたブロックであり、コンクリート材や石材、煉瓦材のような重量材料をはじめ、プラスチックや金属等の各種軽量材料により形成される。また、ブロック３０は、中空に成形されるなど、その内部に空洞部を適宜するものであっても良く、もちろん中実に成形されていても良い。すなわち、ブロック３０は、必ずしも重量が大きい必要はなく、プラスチック等の軽量素材を用いたり、内部に空洞部を設けるなどして軽量化が図られていても構わない。このように軽量化すれば、屋上部１への荷重負担をより一層軽減することができ、非常に好ましい。
【００３０】
また、このブロック３０については、ただ単に緑化基盤１０や鉢植え４０の固定を目的に使用されるのではなく、花壇や庭園、歩道などの境界等に設置されて、縁石として使用されても良い。
【００３１】
本実施形態では、各ブロック３０が、防水層４の防水シート５上に取り付けられたシート状部材３２により固定されている。このシート状部材３２は、防水シート５に融着可能な材料により形成されたものであり、本実施形態では、防水シート５と同じ材料により形成されている。すなわち、シート状部材３２は、好ましくは、軟質オレフィンをベースにした熱可塑性樹脂材などにより形成され、防水シート５に融着して接合されて、一体的に取り付けられている。シート状部材３２は、防水シート５と同じく、例えば、厚さ１．２ｍｍ〜２．５ｍｍ程の所定の厚みを有するシートに成形される。シート状部材３２としては、例えば、日立電線株式会社製（パワーアンドコムテック社販売）の商品名「サーナルーフＴＳ」または「サーナルーフＴＧ」や、アクリル樹脂を主成分としたシート（例えばアーキヤマデ株式会社製の商品名「リベットルーフＥＸ」など）、塩化ビニル樹脂製のシートなどを用いることができる。
【００３２】
このようにシート状部材３２が防水シート５と同一の素材により形成されることで、シート状部材３２と防水シート５とを良好に融着することができるとともに、またその融着状態を長期間にわたり保持することができる。
【００３３】
シート状部材３２を防水シート５に融着する場合には、例えば、専用の熱融着装置を使って、防水シート５とシート状部材３２との重合部分を表側から加圧しながら加熱して、両者を溶融させて融着する。
【００３４】
一方、シート状部材３２は、ブロック１０に対し、両面テープ等の接合材や各種接着剤等により接合されている。各ブロック３０には、リング等の接続具３４が装着されて、この接続具３４からワイヤー３６、３７が延設されて、緑化基盤１０および鉢植え４０が固定されている。
【００３５】
図３〜図８は、シート状部材３２を用いてブロック３０を防水シート５上に固定する場合の固定形態をそれぞれ示したものである。
【００３６】
図３は、帯状に成形されたシート状部材３２を２本、それぞれブロック３０の上面部から左右両側面部にかけて配設して、その両端部３２ａ、３２ｂをそれぞれ防水シート５に融着した形態を示す図であり、図３（ａ）は斜視図であり、図３（ｂ）は断面図である。
【００３７】
図４は、帯状に成形されたシート状部材３２を４本、それぞれブロック３０の上面縁部から左右両側面部にかけて配設し、その端部３２ａを防水シート５に融着した形態を示す図であり、図４（ａ）は斜視図である。図４（ｂ）は断面図である。
【００３８】
図５は、図４に示す固定形態において、ブロック３０を横方向に貫通するようにボルト３８を挿入してナット３９により固定し、各シート状部材３２をブロック３０に止め着けた形態を示す図であり、図５（ａ）は斜視図であり、図５（ｂ）は断面図である。なお、この場合、シート状部材３２を接着剤や接合材を用いることなくブロック３０に止め着けることができる。
【００３９】
図６は、帯状に成形されたシート状部材３２をブロック３０の下面部から左右両側面部にかけて配設するとともに、ブロック３０にボルト３８を貫通させてナット３９により固定して、各シート状部材３２をブロック３０に融着した形態を示す図であり、図６（ａ）は斜視図であり、図６（ｂ）は断面図である。
【００４０】
図７は、図３に示す固定形態において、別の帯状のシート状部材３３をブロックの左右両脇にそれぞれ平行にシート状部材３２の各端部３２ａ、３２ｂにそれぞれ重なるように設け、シート状部材３３により、２本のシート状部材３２の各端部３２ａ、３２ｂを防水シート５上に押さえつけた形態を示す図であり、図７（ａ）は斜視図であり、図７（ｂ）は上面図である。なお、ここで、シート状部材３３は、防水シート５と同じ材料等により形成され、防水シート５に融着されている。
【００４１】
図８は、ブロック３０の長さ寸法に対応した幅寸法を有する矩形状のシート状部材３２を使って、ブロック３０の上面部全体および左右両側面部を包み込んで防水シート５に融着した形態を示す図であり、図８（ａ）は斜視図であり、図８（ｂ）は断面図である。
【００４２】
図９は、本発明における固定用部材として、ゴム材等により形成された可撓性を有するチューブ状部材５０を使用した場合について示している。チューブ状部材５０は、内部に空気等の気体や水などの液体が封入されている。このチューブ状部材５０についても、前述したブロック３０の場合と同様、シート状部材３２によって防水シート５上に固定されている。本実施形態では、このシート状部材３２がチューブ状部材５０の長さ方向に沿って複数本並設され、かつ各シート状部材３２がチューブ状部材５０を跨がるようにそれぞれ装着されている。これにより、チューブ状部材５０が防水シート５上に固定されている。
【００４３】
なお、チューブ状部材５０は、前述したブロック３０と同様に、ただ単に緑化基盤１０や鉢植え４０の固定を目的に使用されるのではなく、花壇や庭園、歩道などの境界等に設置されて、縁石として使用されてもよい。
【００４４】
本実施形態において、屋上緑化システムのレイアウト変更や配置替えを行う場合には、緑化基盤１０や鉢植え４０を防水シート５上から撤去するとともに、シート状部材３２を切断して、ブロック３０やチューブ状部材５０についても防水シート５から分離して撤去する。これにより屋上緑化システム全体を撤去する。
【００４５】
図１０は、図１に示す屋上緑化システムにおいて、防水シート５上から緑化基盤１０や鉢植え４０、ブロック３０を撤去したときの様子を示したものである。防水シート５上には、シート状部材３２の防水シート５との接合部分が残留することとなる。この残留した部分は、シート状であるから非常に肉厚が薄い。このため、そのままその上に屋上緑化システムを再構築しても、何ら悪影響は生じない。すなわち、この屋上緑化システムでは、緑化基盤１０や鉢植え４０を防水層４上に固定するために、従来のように防水層４（防水シート５）に穴部を設けてアンカー等の設置をする必要がないことから、防水層４を何ら損傷することなく、維持することができる。したがって、従来のようにレイアウト変更や配置換えに際し、従来必要であった穴部の補修や防水層の張り直しといった後処理を省略することができる。また、シート状部材３２を切断するだけで簡単に撤去することができるから、工事期間の短縮を達成することができる。また、防水シート５上であれば、どこでも自由にシート状部材３２を融着することができるから、従来に比べてレイアウトの自由度が大幅に向上する。
【００４６】
図１１は、植物４１が植設されたポット４２を防水シート５上に固定する場合の一実施形態を示したものである。ここでは、防水シート５上にシート状部材３２により固定されたブロック３０に、一対のリング状の接続具３５を介してポット４２が固定されている。ブロック３０は、ポット４２の大きさに合わせて適宜なサイズに形成されており、その上面部には、リング状の接続具３５ａが設けられている。一方、ポット４２の下面部にはリング状の接続具３５ｂが取り付けられている。この接続具３６ｂは、ブロック３０の接続具３５ａと結合され、ポット４２とブロック３０とが着脱可能に連結されるようになっている。
なお、ここで、ブロック３０は、ポット４２の下面部に設けられた収容凹部４０ａに収容されるようになっている。
【００４７】
また、ブロック３０とポット４２とを着脱可能に連結する接続具にあっては、図１２（ａ）に示すように、前記一対のリング状の接続具３５ａ、３５ｂの間に新たな別のリング状の接続具３５ｃを介設するカラビナ型にしてもよく、また図１２（ｂ）に示すように、凸形状部４３と凹形状部４４とが相互に嵌合されて結合されるようなホースニップル型の接続構造であっても良い。
【００４８】
図１３および図１４は、ブロック３０の他の設置形態を示したものである。図１３は斜視図であり、図１４は断面図である。この設置形態は、図１３に示すように緑化基盤１０の内部に、ブロック３０を埋め込んだものである。ブロック３０は、緑化基盤１０の内部に相互に間隔をあけつつ複数個配設されている。各ブロック３０は、図１４に示すように、緑化基盤１０の保水性シート１２、排水層１４および導水シート１６を貫通して、その下面部がシート状部材３２を介して屋上スラブ２の防水シート５に融着により接合されている。各ブロック３０の上面部には、前述したような例えばリング状等の接続具３５ａが取付けられ、当該接続具３５ａを介して、前述したようなポット４２等を簡単に接続できるようになっている。
【００４９】
ブロック３０は、予め緑化基盤１０中に縦横に適宜な間隔をあけて配置されていて、これによりどこのブロック３０でも緑化基盤１０やポット４２等の緑化部を自由にかつ簡単に固定することができる。すなわち、非常に自由度が高く、利便性にも優れている。しかも、レイアウト変更時や配置替え時であっても、前述した緑化基盤１０やブロック３０を撤去せずにそのまま利用することができ、このことから、レイアウト変更作業や配置替え作業を簡単に済ませることができる。なお、ここでは、導水シート１６上に土壌１８ではなく、揚水性ブロック６０と、チップ状レンガ６２とが配設されている。
【００５０】
前述した各実施の形態では、シート状部材３２が防水シート５に対し融着により接合することとしたが、本発明は、これに限らず、例えば両面テープ等の接合材や接着剤などによりシート状部材３２を防水シート５に接着することとしてもよい。
【００５１】
【発明の効果】
本発明によれば、防水シートに接合したシート状部材を介して緑化部を屋上部に固定するから、当該システムのリニューアル工事等において緑化部を撤去する際に、シート状部材を切断するだけで、簡単に撤去することができる。しかも、シート状部材は、防水シートに接合されるから、従来のように固定用の穴部を残さずに済み、穴部の補修等といった処理を省略することができる。
【図面の簡単な説明】
【図１】本発明に係る屋上緑化システムの一実施形態を示した断面図である。
【図２】本発明に係る屋上緑化システムの緑化部の一実施形態を示した断面図である。
【図３】本発明に係る屋上緑化システムの固定用部材の固定形態の第１実施形態を示した斜視図および側面図である。
【図４】本発明に係る屋上緑化システムの固定用部材の固定形態の第２実施形態を示した斜視図および側面図である。
【図５】本発明に係る屋上緑化システムの固定用部材の固定形態の第３実施形態を示した斜視図および側面図である。
【図６】本発明に係る屋上緑化システムの固定用部材の固定形態の第４実施形態を示した斜視図および側面図である。
【図７】本発明に係る屋上緑化システムの固定用部材の固定形態の第５実施形態を示した斜視図および平面図である。
【図８】本発明に係る屋上緑化システムの固定用部材の固定形態の第６実施形態を示した斜視図および平面図である。
【図９】本発明に係る屋上緑化システムの固定用部材の他の実施形態を示した斜視図および側面図である。
【図１０】本発明に係る屋上緑化システムの固定用部材の撤去後の様子を示した断面図である。
【図１１】本発明に係る屋上緑化システムにおける緑化部の他の固定形態を示した平面図である。
【図１２】本発明に係る屋上緑化システムにおける緑化部の他の固定形態をそれぞれ示した平面図である。
【図１３】本発明に係る屋上緑化システムの他の実施形態を示した平面図である。
【図１４】本発明に係る屋上緑化システムの他の実施形態を示した縦断面図である。
【符号の説明】
１　屋上部
２　屋上スラブ
４　防水層
５　防水シート
１０　緑化基盤
１２　保水性シート
１４　排水層
１６　導水シート
１８　土壌
２０　植栽
２２　給水パイプ
２４　立体構造ネット
３０　ブロック
３４　接続具
３６　ワイヤー
３８　ボルト
３９　ナット
４０　鉢植え
４２　ポット
５０　チューブ状部材
【図１】
2004089005.tif 000003
【図２】
2004089005.tif 000004
【図３】
2004089005.tif 000005
【図４】
2004089005.tif 000006
【図５】
2004089005.tif 000007
【図６】
2004089005.tif 000008
【図７】
2004089005.tif 000009
【図８】
2004089005.tif 000010
【図９】
2004089005.tif 000011
【図１０】
2004089005.tif 000012
【図１１】
2004089005.tif 000013
【図１２】
2004089005.tif 000014
【図１３】
2004089005.tif 000015
【図１４】
2004089005.tif 000016